(57)【要約】【課題】この発明は、買い物をするときにも記帳できて、細かい支出までも管理することができる手段を提供することを目的とする。【解決手段】支払金額および勘定科目のデータを入力するための入力手段４と、それらのデータの記憶手段７および演算手段、演算結果を表示手段５を財布に設けることにより、財布に電子帳簿機能を持たせ、携帯が容易になっており、買い物をする際にその場で、財布へ入れる金額、支払金額および勘定科目のデータを入力することができ、もれのない記帳により、正確な支出の管理が行える。【選択図】図１
2005034344.tif 000002
【特許請求の範囲】
【請求項１】
財布へ入れる金額、支払金額および勘定科目のデータを入力するための入力手段と、入力された財布へ入れる金額、支払金額および勘定科目のデータを記憶する手段と、記憶された財布へ入れる金額、支払金額および勘定科目のデータを演算処理する手段と、表示手段を有する電子帳簿機能を備えた財布。
【請求項２】
時計を内部に有しており、財布へ入れる金額または支払金額のデータが入力されたときに、そのときの日時のデータを財布へ入れる金額または支払金額のデータと関連付けて記憶するようになした請求項１に記載の電子帳簿機能を備えた財布。
【請求項３】
異なる通貨間の金額換算機能を有する請求項１または請求項２に記載の電子帳簿機能を備えた財布。
【請求項４】
貨幣および紙幣の種類毎に仕切られている請求項１乃至請求項３のいずれかに記載の電子帳簿機能を備えた財布。
【発明の詳細な説明】
【技術分野】
【０００１】
本発明は、マイクロコンピューターによって金銭の収支の管理を行う電子帳簿機能付き財布に関するものである。
【背景技術】
【０００２】
小型電子計算機が取付けられた財布については、特許文献１、特許文献２をはじめとして、多く提案されている。これらの計算機付き財布は、買い物をする際にすぐ合計金額や残金の計算ができるという利点を有する。しかし、計算の結果、合計支出金額は把握できるものの、そのデータはその場限りのものであり、お金の使い方を効率化する手段として後日活用できるものではない。
【０００３】
お金の使い方を効率化したり、家計を管理するために家計簿をつけることは古くから行われている。しかし、家庭で家計簿をつけるときに、買い物の全てをもれなく記帳することはむつかしく、記入し忘れる支出があるために家計簿の数値と実際に財布中の金額は一致しないことが多い。近年ではパーソナルコンピュータ上で作動する会計ソフトも各種普及しており、操作が簡単なことにくわえて多くの機能を備えている。しかしながら、自宅で記帳することには変わりがなく、全ての内容を入力することは困難である。また、家庭で記帳する場合には支払の再に受け取ったレシートを見ながら行うことが多いが、自動販売機で缶入り飲料やたばこを購入した場合などにはレシートは発行されないので、このような支出を家計簿や会計ソフトで管理することはむつかしい。しかし、このような支出を管理することこそ、無駄な出費を減らすためには重要である。
【特許文献１】実開昭６０−１３５９４８号
【特許文献２】実開昭５０−８５５１２号
【発明の開示】
【発明が解決しようとする課題】
【０００４】
特許文献１や特許文献２に記載された計算機につき財布では、支出の管理を行うことはできない。家計簿や会計ソフトでも、買い物をするときに記帳することができないので、記帳漏れが発生し、支出の管理を十分に行うことができない。この発明は、買い物をするときにも記帳できて、細かい支出までも管理することができる手段を提供することを目的とする。
【課題を解決するための手段】
【０００５】
上記の課題を解決するため、この発明の電子帳簿機能付き財布は、財布へ入れる金額、支払金額および勘定科目のデータを入力するための入力手段と、入力された財布へ入れる金額、支払金額および勘定科目のデータを記憶する手段と、記憶された財布へ入れる金額、支払金額および勘定科目のデータを演算処理する手段と、表示手段とを有するものである。時計を内部に有しており、財布へ入れる金額または支払金額のデータが入力されたときに、そのときの日時のデータを財布へ入れる金額または支払金額のデータと関連付けて記憶するようにすることもできる。異なる通貨間の金額換算機能をもたせてもよい。また、貨幣および紙幣を種類毎に分けて収納できるように貨幣および紙幣の種類毎に仕切られたものにすることもできる。
【発明の効果】
【０００６】
この発明によれば、支払金額および勘定科目のデータを入力するための入力手段と、それらのデータの記憶手段および演算手段と、演算結果の表示手段を財布に設けることにより、財布に電子帳簿機能を持たせ、携帯が容易で買い物をする際にその場で、財布へ入れる金額、支払金額および勘定科目のデータを入力することができ、もれのない記帳により、正確な支出の管理が行えるようになるという効果を奏する。
【発明を実施するための最良の形態】
【０００７】
つぎに、この発明を実施するための最良の形態について説明する。図１はこの発明による電子帳簿機能付き財布の一例を示す斜視図であり、図２は電子帳簿機能を説明するブロック図である。
【０００８】
電子帳簿機能付き財布１は、財布部２と電子帳簿部３を有する。この例においては、電子帳簿機能付き財布１は、二つ折りの形状になっており、図１において左半分が電子帳簿部３であり、閉じたときに内側になる面に入力手段４や表示手段５等操作に係るものが設けられている。一方、図１において右半分が財布部２となっている。
【０００９】
電子帳簿部３は、上部に液晶ディスプレイ等の表示手段５を、下部にキーボード等の入力手段４を有する。タッチディスプレイを用いて、表示手段と入力手段を一体化してもよい。この例においては、金額の入力に有利な数字キー４ａと品名等の勘定科目の入力に有利な英字キー４ｂを設けている。この電子帳簿部３は、普及している携帯用の小型コンピュータと同様のものであり、市販の小型コンピュータを組み込み、帳簿機能を実現するソフトウェアを搭載することもできる。
【００１０】
図２に電子帳簿部３の構成をブロック図で示す。演算装置６を備えており、入力手段４より入力された財布へ入れる金額、支払金額および勘定科目のデータを演算処理する。また、これらの入力データや演算処理された結果データを記憶する記憶手段７が設けられている。さらに、データ入力操作を助けるメニューを表示したり、記憶されたデータや演算結果を表示したりするための表示手段５がある。また、この例においては、内部に時計８を有すると共に、外部とデータをやりとりするための外部入出力手段９をも備えている。
【００１１】
一方、財布部２は、紙幣収納部１０と硬貨収納部１１が設けられている。この例では、硬貨収納部１１は図１の右半分で、折りたたんだときに内側になる面に、硬貨の種類毎に分けて収納できるように設けられている。この例では、各硬貨を一列に納めるような構造になっており、上から一円玉、五円玉…と小さい金額のものから順番に並んでいる。各列は、それぞれの硬貨の大きさに対応した幅になっている。また、見て枚数がすぐ把握できるようになっている。紙幣部１０は、右側に開いた袋状に形成しており、内部に仕切り１２が設けられていて、紙幣の種類毎に分けて納めることができるようになっている。ここでは、３つの部分に分けており、千円札、五千円札、一万円札に分けて入れるようになっているが、仕切りを増やして二千円札の部分を設けてもよい。
【００１２】
次に、電子帳簿機能付き財布１の使い方について説明する。使用者は、お金を硬貨および紙幣の種類毎に分けて財布部２に入れる。また、財布部２内の金額を予め入力手段４により入力しておく。外出する際には、電子帳簿機能付き財布１を折りたたんで、ポケットやハンドバックに入れて携帯するのは通常の財布と同様である。そして、買い物する際には、電子帳簿機能付き財布１を取り出し、開いて、入力手段４により、支出金額およびその品名を勘定科目として入力する。スーパーマーケット等で複数の商品を購入する場合には、商品を買い物カゴに入れながらデータを入力してもよい。これによって、合計金額を予め知ることもできるし、その合計金額とレジで計算された請求額とを比較することにより、レジのうちまちがい等をチェックできる。支払を済ませた後に、受け取ったレシートを見ながら、データを入力してもよい。
【００１３】
財布部２から紙幣や硬貨を取り出して支払を行い、おつりがあればまた財布部２に入れる。硬貨や紙幣の種類毎に納められるので残金は把握しやすい。実際の残金と、表示手段が示す残金が一致することを確認したなら、電子帳簿機能付き財布１を折りたたんで、ポケットやハンドバックに入れる。このように、支払の際には必ず財布を取り出すことになるので、必然的に電子帳簿部３が手元に開かれ、買い物をしたその場で、もれなくデータを入力することができる。
【００１４】
また、この例では、電子帳簿機能付き財布１を備えている。入力手段４より支払金額や勘定科目が入力されたときに、演算装置６は時計よりそのときの日時を読み込み、この日時のデータを支払金額や勘定科目のデータと合わせて記憶手段７に記憶する。
【００１５】
このようにして、記憶手段７に記憶されたデータは演算装置６によりさまざまに演算処理される。この処理としては、すでに普及しているパーソナルコンピュータ用の会計ソフトで行う周知の処理が適用できる。品目ごとに分けて所定期間における合計を計算して表示し、支出の傾向を把握したり、お金の使い方を改善するための参考資料とすることができる。
【００１６】
また、この例では外部入出力手段９を設けているので、外部のパーソナルコンピュータと接続して、記憶装置７に記憶されているデータをパーソナルコンピュータ用の会計ソフトに送ることができるようになっている。これにより、すでにこの電子帳簿機能付き財布１に入力されたデータを再度パーソナルコンピュータ用の会計ソフトに手入力する必要がなくなる。したがって、パーソナルコンピュータ用の会計ソフトでもこれまで管理できなかったような支出データまでがもれなく管理できるようにもなる。図１の例では、外部入出力手段９はコネクタであり、ケーブルにより外部のパーソナルコンピュータと接続する。これ以外にも、電子帳簿機能付き財布１に通信機能を持たせ、インターネット等により外部のパーソナルコンピュータへデータを送ることも可能である。
【００１７】
この発明の帳簿機能付き財布は、さまざまな用途に適用できる。上述の例では、主婦など家計を管理する者が、買い物における無駄遣いを減らすための手段として使用することができる。また、会社員の小遣いの効果的使用のための道具にもなる。バス代などの交通費や外食費なども勘定科目毎に把握することができる。子供の小遣い管理にも利用できる。例えば、品名ごとの支出を月毎に分析することにより小遣いの使い方の傾向が把握できるので、子供に適切なお金の使い方を指導するための教育的な目的にも使用できる。
【００１８】
高齢者等、金銭の管理能力が弱くなっている者のためにも使用できる。高齢者の多くは、通常よりが弱いにしてもまだ相当な金銭管理能力を保持している。この場合に、金銭の使用を全面的にやめさせたら、まだ保持している金銭管理能力までもが失われる可能性がある。これらの者にこの発明の電子帳簿機能付き財布１を持たせることにより金銭管理の訓練をさせることができる。財布の中の残金と、電子帳簿３が示す残金を比較することにより、記帳を確実に行われているかがわかる。また、定期的に品名ごとの支出を分析することにより、適切に金銭管理が行われているかを把握することができる。
【００１９】
さらに、電子帳簿機能付き財布１に異なる通貨間の金額換算機能をもたせてもよい。自国通貨以外を取り扱うための設定に切り替えるようにしておき、海外旅行をする場合には、この外国通貨設定に切り替える。この切り替えは、例えば別の通貨に両替を行うときに行う。両替で外貨を入手したときに、その外貨を財布部２に収納するとともに、その金額を入力手段より入力するのは上述の例と変わらない。この外国通貨設定においては、さらにこのときに為替レートも入力できるようになっていて、入力された為替レートも記憶手段７に記憶される。支出をするたびに入力手段より金額と品名（勘定科目）を入力することも同様であるが、このとき演算装置６は記憶された為替レートにより支出金額を自国通貨による金額に換算する。表示部５には、外貨による支出金額とともに自国通貨による金額も表示される。外貨により表示のみでは支出の大きさを実感できない場合が多いが、自国通貨による金額の表示により、支出を実感できる形で把握することができる。
【産業上の利用可能性】
【００２０】
この発明は、支払金額および勘定科目のデータを入力するための入力手段と、それらのデータの記憶手段および演算手段、演算結果を表示手段を財布に設けることにより、財布に電子帳簿機能を持たせ、携帯が容易になっており、買い物をする際にその場で、財布へ入れる金額、支払金額および勘定科目のデータを入力することができる、電子帳簿機能付き財布として実施することができる。もれのない記帳により、正確な支出の管理が行えるので、主婦用のものや、児童用、あるいは高齢者用にも適用することができる。
【図面の簡単な説明】
【００２１】
【図１】この発明による電子帳簿機能付き財布の一例を示す斜視図である。
【図２】電子帳簿機能を説明するブロック図である。
【符号の説明】
【００２２】
１．電子帳簿機能付き財布
２．財布部
３．電子帳簿部
４．入力手段
５．表示手段
６．演算装置
７．記憶手段
８．時計
１０．紙幣収納部
１１．貨幣収納部
【図１】
2005034344.tif 000003
【図２】
2005034344.tif 000004